(57)【要約】      （修正有）【課題】泡層と穀類分解物含有発泡性飲料層との間の境界液面下に形成された霧状の肌理細かい微細泡含有層をライトアップするとともに、側方に散乱光をもたらす。【解決手段】光源付きコースター１０は、微細泡含有層８５をライトアップする強度からなる光を少なくとも上方に向かって照射する光源を有する土台２０と、土台２０に連結される連結部と、連結部の上方に位置し、少なくとも側面に表面処理が施された半透明部とを有する中間部材３０と、を備えている。光源から照射された光は、微細泡含有層８５をライトアップするとともに、半透明部によって散乱されて半透明部の側部外方に散乱光をもたらす。【選択図】図３
2015047186.tif 000002
【特許請求の範囲】
【請求項１】
穀類分解物含有発泡性飲料層と、前記穀類分解物含有発泡性飲料層上に形成された泡層と、前記穀類分解物含有発泡性飲料層と前記泡層との間の境界液面下で形成された微細泡含有層とを含む穀類分解物含有発泡性飲料を収容した透明容器を載置するための光源付きコースターであって、
前記微細泡含有層をライトアップする強度からなる光を少なくとも上方に向かって照射する光源を有する土台と、
前記土台に連結される連結部と、前記連結部の上方に位置し、少なくとも側面に表面処理が施された半透明部とを有する中間部材と、を備え、
前記光源から照射された光は、前記微細泡含有層をライトアップするとともに、前記半透明部によって散乱され、前記半透明部の側部外方に散乱光をもたらすことを特徴とする光源付きコースター。
【請求項２】
前記中間部材は、前記連結部の上方であって前記半透明部の下方に設けられた透明部をさらに有することを特徴とする請求項１に記載の光源付きコースター。
【請求項３】
前記光源から発光される光の強さは、５００ルクス以上であることを特徴とする請求項１又は２のいずれかに記載の光源付きコースター。
【請求項４】
前記中間部材は、周縁部において上方に突出した突出部を有し、
前記突出部の内周側の半透明部上に前記透明容器が載置可能となっていることを特徴とする請求項１乃至３のいずれか１項に記載の光源付きコースター。
【請求項５】
前記半透明部の周縁部に文字、数字又は模様が付されていることを特徴とする請求項１乃至４のいずれか１項に記載の光源付きコースター。
【請求項６】
前記光源は、赤色の光、緑色の光及び青色の光を放つことを特徴とする請求項１乃至５のいずれか１項に記載の光源付きコースター。
【請求項７】
前記光源に接続され、前記光源から発光される光を制御する制御部をさらに備えたことを特徴とする請求項１乃至６のいずれか１項に記載の光源付きコースター。
【請求項８】
前記制御部を遠隔操作するための遠隔操作部をさらに備えたことを特徴とする請求項７に記載の光源付きコースター。
【請求項９】
透明容器と、
前記透明容器内に収容され、穀類分解物含有発泡性飲料層と、前記穀類分解物含有発泡性飲料層上に形成された泡層と、前記穀類分解物含有発泡性飲料層と前記泡層との間の境界液面下で形成された微細泡含有層とを含む穀類分解物含有発泡性飲料と、
前記透明容器が載置される光源付きコースターと、
を備え、
前記光源付きコースターは、
前記微細泡含有層をライトアップする強度からなる光を少なくとも上方に向かって照射する光源を有する土台と、
前記土台に連結される連結部と、前記連結部の上方に位置し、少なくとも側面に表面処理が施された半透明部とを有する中間部材と、を有し、
前記光源から照射された光は、前記微細泡含有層をライトアップするとともに、前記半透明部によって散乱され、前記半透明部の側部外方に散乱光をもたらすことを特徴とする透明容器入り穀類分解物含有発泡性飲料と光源付きコースターとの組合体。
【請求項１０】
前記泡層は、穀類分解物含有発泡性飲料をその凍結温度よりも高い温度で外気ガス成分を用いて予め発泡させて得られた発泡体からなる発泡体層であり、
前記微細泡含有層を発生させる有効範囲に泡の粒径を調整してなる穀類分解物含有発泡性飲料の発泡体を、予め透明容器に注出された穀類分解物含有発泡性飲料層上に添加することで、前記発泡体層を形成し、前記微細泡含有層を発生させることを特徴とする請求項９に記載の透明容器入り穀類分解物含有発泡性飲料と光源付きコースターとの組合体。
【発明の詳細な説明】
【技術分野】
【０００１】
本発明は、穀類分解物含有発泡性飲料を収容した透明容器を載置するための光源付きコースター、及び、透明容器入り穀類分解物含有発泡性飲料と光源付きコースターとの組合体に関する。
【背景技術】
【０００２】
従来から、グラスを載置し、当該グラスに光を照射することで装飾的効果を高めるための装置やコースターが知られている（特許文献１乃至５）。その一例として、特許文献１では、筒状本体と、ランプと、ランプのリード線を折り曲げて形成された電池に接触可能な接続端子と、電池を接続端子に対して接離時自在に案内するガイド部と、本体に回動自在に取り付けられ本体の底面凹部を塞ぐ底蓋と、この底蓋に、底蓋が一方に回動するとき電池を接続端子に向けて押圧する押出しカムと、底蓋が他方に回動するとき電池を接続端子から離反させる引き戻しカムとを形成し、底蓋を本体に対して回動させることで電池からランプまでの接続回路を継断させたグラス発光装置が開示されている。
【０００３】
また、特許文献２では、ケースと、透明な板材から成り、ケースの上部開放部を塞ぐようにケース上に取り付けられ、上部には物品を載置することができる透光板と、上部が透光板の受入れ凹所内に配置され、電源に接続されて上部から上方へ光を投射する光源用の発光ダイオード素子とを具備し、ケースの透光板上に載置されたガラス加工品等の物品を発光ダイオード素子から上方へ投射される光で照射すると共に、発光ダイオード素子から発せられる光の一部を受入れ凹所から透光板内へ導いて全反射させ、透光板の周縁から発光させるようにした光飾台装置が開示されている。
【０００４】
また、特許文献３では、透明な部材により形成された板体からなる載置板と、載置板の上面もしくは外縁に一体に固定される透明な部材により形成されたリング体であって、周方向に対して交わる方向に形成される複数のスリットが表面に形成される装飾体と、載置板内部もしくは下面に設けられる発光体と、からなるコースターが開示されている。
【先行技術文献】
【特許文献】
【０００５】
【特許文献１】特開平１１−２５２号公報
【特許文献２】実用新案第３０３９５９２号
【特許文献３】実用新案第３１３４６２１号
【特許文献４】特開昭１１−２５２号公報
【特許文献５】特開２００９−１３６６３３号公報
【発明の概要】
【発明が解決しようとする課題】
【０００６】
ところで、穀物含有発泡性飲料を容器に注出する際に、泡層と穀類分解物含有発泡性飲料層との境界液面下に発生する霧状の肌理細かい微細泡含有層が生じる場合のあることが知られている。特に、この微細泡含有層は「スモーキーバブルス」又は「フロスティミスト」と称され、穀物含有発泡性飲料をおいしく見せる視覚的効果がある。
【０００７】
この点、特許文献１乃至５のいずれもグラス等の容器に注がれた液体に仄かに光を照射して装飾効果を得ることを主たる目的としており、これら特許文献１乃至５のいずれにも、上述した霧状の肌理細かい微細泡含有層に光を照射することで、当該微細泡含有層に対する視覚的効果を高めることについては全く開示されていない。
【０００８】
なお、特許文献１の段落［００１０］には、「グラス２にビール等の飲み物を満たすと、グラス２がライトアップされる。そして、ビールを入れたグラス２を、目の高さよりやや高い乾杯のときの位置に持ち上げると、ランプ５から照射された光が水面２３の泡に反射し、グラス２を下から見てもライトアップすることができる。」という記載はあるが、あくまでも「泡」で光が反射することについて触れられているだけであり、上述した「微細泡含有層」をライトアップすることについては全く触れられていない。さらに、この特許文献１で開示されているのは、あくまでもグラスを載せたまま用いられるグラス発光装置であり、いわゆるコースター等のように、グラス等の容器をテーブル等の上に載置するためのものではない。
【０００９】
また、特許文献１乃至５のいずれにも、側方に散乱光をもたらすことで視覚的効果を高めることについての記載は全くない。なお、特許文献２の段落［０００９］では「発光ダイオード素子９の光の一部は、受入れ凹所５ａから透光板５内に導かれ、その内部で全反射を繰り返して周縁から側方へ光を放つ。従って、透光板５自体もその周縁部が光り、さらに装飾効果を高める。」とされているが、続いて「光源用の発光ダイオード素子９は小型であるので、装置の小型化に寄与し、電球と異なり発熱せず、断線がないので長期にわたって交換なく安全に使用でき、しかも消費電力が小さく、長期にわたる連続点灯が可能である。」とされていることからも理解されるように、用いられる光の強度が小さいことから側方に放たれる光もわずかなものであり、かつ、その光は透明板を介して外部に放たれており散乱光とはなっておらず、その装飾効果が小さい。
【００１０】
本発明は、このような点を鑑みてなされたものであり、泡層と穀類分解物含有発泡性飲料層との間の境界液面下に形成された霧状の肌理細かい微細泡含有層をライトアップするとともに、側方に散乱光をもたらすことで、微細泡含有層のライトアップと散乱光の両方によって、より高い視覚的効果を実現することができる光源付きコースター及び透明容器入り穀類分解物含有発泡性飲料と光源付きコースターとの組合体を提供する。
【課題を解決するための手段】
【００１１】
本発明による光源付きコースターは、
穀類分解物含有発泡性飲料層と、前記穀類分解物含有発泡性飲料層上に形成された泡層と、前記穀類分解物含有発泡性飲料層と前記泡層との間の境界液面下で形成された微細泡含有層とを含む穀類分解物含有発泡性飲料を収容した透明容器を載置するための光源付きコースターであって、
前記微細泡含有層をライトアップする強度からなる光を少なくとも上方に向かって照射する光源を有する土台と、
前記土台に連結される連結部と、前記連結部の上方に位置し、少なくとも側面に表面処理が施された半透明部とを有する中間部材と、を備え、
前記光源から照射された光が、前記微細泡含有層をライトアップするとともに、前記半透明部によって散乱され、前記半透明部の側部外方に散乱光をもたらす。
【００１２】
本発明による光源付きコースターにおいて、
前記中間部材は、前記連結部の上方であって前記半透明部の下方に設けられた透明部をさらに有してもよい。
【００１３】
本発明による光源付きコースターにおいて、
前記光源から発光される光の強さは、５００ルクス以上となっていてもよい。
【００１４】
本発明による光源付きコースターにおいて、
前記中間部材は、周縁部において上方に突出した突出部を有し、
前記突出部の内周側の半透明部上に前記透明容器が載置可能となっていてもよい。
【００１５】
本発明による光源付きコースターにおいて、
前記半透明部の周縁部に文字、数字又は模様が付されてもよい。
【００１６】
本発明による光源付きコースターにおいて、
前記光源は、赤色の光、緑色の光及び青色の光を放ってもよい。
【００１７】
本発明による光源付きコースターは、
前記光源に接続され、前記光源から発光される光を制御する制御部をさらに備えてもよい。
【００１８】
本発明による光源付きコースターは、
前記制御部を遠隔操作するための遠隔操作部をさらに備えてもよい。
【００１９】
本発明による透明容器入り穀類分解物含有発泡性飲料と光源付きコースターとの組合体は、
透明容器と、
前記透明容器内に収容され、穀類分解物含有発泡性飲料層と、前記穀類分解物含有発泡性飲料層上に形成された泡層と、前記穀類分解物含有発泡性飲料層と前記泡層との間の境界液面下で形成された微細泡含有層とを含む穀類分解物含有発泡性飲料と、
前記透明容器が載置される光源付きコースターと、
を備え、
前記光源付きコースターが、
前記微細泡含有層をライトアップする強度からなる光を少なくとも上方に向かって照射する光源を有する土台と、
前記土台に連結される連結部と、前記連結部の上方に位置し、少なくとも側面に表面処理が施された半透明部とを有する中間部材と、を有し、
前記光源から照射された光が、前記微細泡含有層をライトアップするとともに、前記半透明部によって散乱され、前記半透明部の側部外方に散乱光をもたらす。
【００２０】
本発明による透明容器入り穀類分解物含有発泡性飲料と光源付きコースターとの組合体において、
前記泡層は、穀類分解物含有発泡性飲料をその凍結温度よりも高い温度で外気ガス成分を用いて予め発泡させて得られた発泡体からなる発泡体層であり、
前記微細泡含有層を発生させる有効範囲に泡の粒径を調整してなる穀類分解物含有発泡性飲料の発泡体を、予め透明容器に注出された穀類分解物含有発泡性飲料層上に添加することで、前記発泡体層を形成し、前記微細泡含有層を発生させてもよい。
【発明の効果】
【００２１】
本発明によれば、土台に含まれる光源が、泡層と穀類分解物含有発泡性飲料層との間の境界液面下に形成された霧状の肌理細かい微細泡含有層をライトアップするのに十分な強度を有している。また、土台の上方に設けられる中間部材は側面に表面処理が施された半透明部を有している。このため、霧状の肌理細かい微細泡含有層をライトアップすることと半透明部から側方に放たれる散乱光の両方によって、高い視覚的効果を実現することができる。より具体的には、微細泡含有層の位置する相対的に上方位置におけるライトアップ効果と、コースターの中間部材が位置する相対的に下方位置における散乱光による効果の両方に関して同時に視覚的効果を発揮することができ、非常に高い視覚的効果を実現することができる。
【図面の簡単な説明】
【００２２】
【図１】図１は、本発明の実施の形態による光源付きコースターの外観を示した図である。
【図２】図２（ａ）は本発明の実施の形態による光源付きコースターにおいて中間部材と土台とが連結された態様を示した図であり、図２（ｂ）は本発明の実施の形態による光源付きコースターの中間部材を示した図であり、図２（ｃ）は本発明の実施の形態による光源付きコースターの土台を示した図である。
【図３】図３は、本発明の実施の形態による透明容器入り穀類分解物含有発泡性飲料（より具体的にはビール）と光源付きコースターとの組合体を示した図である。
【図４】図４は、本発明の実施の形態による光源付きコースターの中間部材を土台から分離した態様を示した図である。
【図５】図５は、本発明の実施の形態による光源付きコースターの土台と点灯している光源を側方から見た図である。
【図６】図６は、本発明の実施の形態で用いられる光源を示した図である。
【図７】図７は、本発明の実施の形態による透明容器入り穀類分解物含有発泡性飲料と光源付きコースターとの組合体の全体構成を示した概略図である。
【図８】図８（ａ）は本発明の実施の形態による光源付きコースターで黄色を照射した際の態様を示した図であり、図８（ｂ）は本発明の実施の形態による光源付きコースターで紫色を照射した際の態様を示した図である。
【図９】図９は本発明の実施の形態による光源付きコースターにおいて、所定時間毎（例えば数秒毎）に連続して色を変えながら光を照射するよう光源を制御した際の図である。
【図１０】図１０（ａ）は、穀類分解物含有発泡性飲料の発泡体を透明容器内の穀類分解物含有発泡性飲料層上に添加することで提供された穀類分解物含有発泡性飲料を、本発明の実施の形態による光源付きコースターでライトアップした様子を示した図であり、図１０（ｂ）は、透明容器に穀類分解物含有発泡性飲料をそのまま注いで泡層及び微細泡含有層を形成したものを、本発明の本実施の形態による光源付きコースターでライトアップした様子を示した図であり、図１０（ｃ）は、穀類分解物含有発泡性飲料の発泡体を透明容器内の穀類分解物含有発泡性飲料層上に添加することで提供された穀類分解物含有発泡性飲料を、従来の光源付きコースターで下から照射した様子を示した図であり、図１０（ｄ）は、透明容器に穀類分解物含有発泡性飲料をそのまま注いで泡層及び微細泡含有層を形成したものを、従来の光源付きコースターで下から照射した様子を示した図である。
【図１１】図１１は、本発明の実施の形態の変形例による光源付きコースターの外観を示した図である。
【図１２】図１２は、図２（ａ）に対応する図であり、本発明の実施の形態による光源付きコースターにおいて、突出部が設けられていない態様を示した図である。
【図１３】図１３（ａ）は、本発明の実施の形態による光源付きコースターにおいて、突出部が設けられていない態様の別の例を示した図であり、図１３（ｂ）は、図１３（ａ）に示された光源付きコースターが発光した際の様子を示した図である。
【図１４】図１４は、本発明の実施の形態で用いられる光源の変形例を上方から見た図である。
【発明を実施するための形態】
【００２３】
実施の形態
《構成》
以下、本発明に係る光源付きコースター及び透明容器入り穀類分解物含有発泡性飲料と光源付きコースターとの組合体の実施の形態について、図面を参照して説明する。ここで、図１乃至図１１は本発明の実施の形態を説明するための図である。
【００２４】
図３に示すように、本実施の形態の光源付きコースター１０は、穀類分解物含有発泡性飲料層８１と、穀類分解物含有発泡性飲料層８１上に形成された泡層８２と、穀類分解物含有発泡性飲料層８１と泡層８２との間の境界液面下で形成された微細泡含有層８５とを含む穀類分解物含有発泡性飲料８０を収容した透明容器７０を載置するために用いられる。この透明容器７０は、透明なものであれば特に限られることはないが、好ましい一例としては、ガラス製グラス又はガラス製ジョッキ等が挙げられる。なお、本実施の形態では、泡層８２として後述する発泡体層８２’を用いた態様で、以下、説明する。
【００２５】
図１に示すように、本実施の形態の光源付きコースター１０は、土台２０と、土台２０の上方に連結された中間部材３０と、を備えている。このうち、中間部材３０は、土台２０に連結される連結部３１と、連結部３１の上方に位置した透明部３５と、透明部３５の上方に位置した半透明部３６と、を有している。半透明部３６は、その側面と上面に表面処理が施されることで半透明になっている。なお、中間部材３０の材料としては、例えばアクリル等を用いることができる。また、図２（ａ）に示すように、本実施の形態では、連結部３１の周縁外方も透明部３５で覆われている。なお、図２（ａ）−（ｃ）において、中間部材３０は断面で示されているが、土台２０は側方図で示されている。
【００２６】
図２（ａ）（ｂ）に示すように、本実施の形態では、半透明部３６が周縁部において上方に突出した突出部３６ｔを有しており、突出部３６ｔの内周側の半透明部３６上で透明容器７０が載置可能となっている。なお、突出部３６ｔの幅は下方に向かって徐々に太くなっている。なお、このような突出部３６ｔは必ずしも必要ではなく、図１２に示すように、半透明部３６が突出部３６ｔを有しておらず円柱形状となった態様でもよい。また、図１３（ａ）（ｂ）に示すように、略円柱形状となった半透明部３６の上端の縁（上端縁部）が直線状に削られ、複数（図１３（ａ）（ｂ）では３つ）の直線部３９を設けた態様となってもよい。なお、この直線部３９は、図１３（ｂ）に示すように、その上端と側端が直線形状となり、その下端は下方に向かって突出した略円弧形状となっている。
【００２７】
図４に示すように、土台２０は、少なくとも上方に向けて光を発光する光源２１と、この光源２１を載置するための載置部２５とを有している。本実施の形態の光源２１は、微細泡含有層８５をライトアップする強度からなる光を照射することができるようになっており、例えば５００ルクス以上となっている。なお、微細泡含有層８５を十分にライトアップするためには、一例として、光源２１が赤色の光を放つ場合にはその強度が５００ルクス以上となり、光源２１が緑色の光を放つ場合にはその強度が１１００ルクス以上となり、光源２１が黄色の光を放つ場合にはその強度が１６００ルクス以上となり、光源２１が白色の光を放つ場合にはその強度が２５００ルクス以上、光源２１がピンク色の光を放つ場合にはその強度が１４００ルクス以上となっていることが好ましい。ちなみに、これらの数値は、本願発明者らがライトアップ効果が得られていると判断した際の光の強度をILLUMINATION METER TOPCON製 IM-2Dを用いて測定した結果得られたものである。なお、よりよいライトアップ効果を得るためには、特に光の強度の上限を設ける必要はないが、光の強度があまりに強すぎるとライトアップ効果が薄れてしまうことから、例えば１００００ルクス以下となっていることが好ましい。
【００２８】
本実施の形態では、載置部２５が凹部形状となっており、このように凹部形状となった載置部２５内に光源２１が載置されている。図６に示すように、本実施の形態の光源２１は、可塑性を有するとともに細長いテープ形状となったチューブ２２と、当該チューブ２２に内方されたＬＥＤ（光源部）２３とを有している。そして、丸め込まれたチューブ２２が載置部２５内に載置されることとなる（図４参照）。
【００２９】
そして、光源２１から発光された光は、透明部３５ではそのまま透過するが、半透明部３６によって散乱されることで半透明部３６の側部外方に散乱光をもたらすこととなる（図１参照）。
【００３０】
本実施の形態の光源２１は、赤色の光、緑色の光及び青色の光を放つ。より具体的には、図６に示す各ＬＥＤ２３が、赤色の光、緑色の光及び青色の光を放つ。なお、各ＬＥＤ２３が同じ色、より具体的には赤色、緑色又は青色のうちのいずれか１つの色の光を放ってもよいが、ＬＥＤ２３が異なる色を、より具体的には、ある一群のＬＥＤ２３が赤色の光を放ち、別の一群のＬＥＤ２３が緑色の光を放ち、残りのＬＥＤ２３が青色の光を放つようにしてもよい。このようにＬＥＤ２３が異なる色を照射することで、光源２１は様々な色の光を放つことができる。
【００３１】
図７に示すように、本実施の形態の光源付きコースター１０は、光源２１に接続されて当該光源２１から発光される光を制御する制御部５０と、制御部５０を遠隔操作するための遠隔操作部（リモートコントローラー）５５と、を備えている。このため、遠隔操作部５５で遠隔操作することで、様々な色及び／又は様々なパターンで光源２１から光を発光させることができ、例えば所定時間毎に色を変えながら光源２１から光を照射することもできる。
【００３２】
図示していないが連結部３１にはネジが切られている。同様に、土台２０の上端にもネジが切られている（土台２０の「ネジ」については図２（ａ）（ｃ）参照）。そして、連結部３１のネジと土台２０のネジとが嵌合することで、土台２０に中間部材３０が取り付けられることとなる。連結部３１の内方は空洞になっており、土台２０の載置部２５から飛び出した光源２１（図５参照）が当該空洞内に収納されることとなる。なお、図５は、本実施の形態による光源付きコースター１０の土台２０と点灯している光源２１を側方から見た図である。
【００３３】
中間部材３０の全体の高さは例えば約４０ｍｍ〜約６０ｍｍ、突出部３６ｔの高さは例えば約１５ｍｍ〜約３５ｍｍとなっている。本実施の形態の突出部３６ｔは環形状となっているが、その内径は、上端で約７５ｍｍ〜約８０ｍｍとなり、下端で約６５ｍｍ〜約７０ｍｍとなっている。台座の高さは例えば約４０ｍｍ〜約５０ｍｍとなっている。
【００３４】
図５に示すように、土台２０の側部には、光源２１に連結された電源ケーブル２８を通過させるための引き出し口２９が設けられている。
【００３５】
《穀類分解物含有発泡性飲料８０について》
本実施の形態の穀類分解物含有発泡性飲料８０は、穀類の分解物を含む炭酸飲料であればどのような態様の飲料であってもよいが、麦芽の分解物を含む飲料であることが好ましい。穀類としては、特には限定されないが、大麦、小麦、大豆、エンドウ豆又はトウモロコシであることが好ましく、より好ましくは大麦である。穀類の分解物の具体的な態様としては、特に限定されないが、大麦、小麦、大豆、エンドウ豆又はトウモロコシの分解物であり、例えば大豆タンパク、エンドウタンパク、コーンタンパク分解物が挙げられる。
【００３６】
本実施の形態の穀類分解物含有発泡性飲料８０は、好ましくは麦芽分解物含有炭酸飲料であり、より好ましくはビール系飲料である。ビール系飲料とは、通常にビールを製造した場合、すなわち、酵母等による発酵に基づいてビールを製造した場合に得られるビール特有の味わい、香りを有する飲料をいい、例えば、ビール、発泡酒、リキュール等の発酵麦芽飲料や、その他の醸造酒もしくは完全無アルコール麦芽飲料等の非発酵麦芽飲料が挙げられる。また、ビール系飲料である限り、麦芽飲料に限定されるものではなく、麦や麦芽を使用しない非麦飲料の形態であってもよい。本実施の形態において「非麦飲料」は炭酸ガス等により清涼感が付与された清涼飲料も含まれるものとする。非麦飲料としては、アルコール含量が０重量％である完全無アルコール飲料のような非発酵飲料や、アルコールを含有するアルコール含有飲料が挙げられるが、アルコールを含む態様が好ましい。このアルコール含有非麦飲料としては、発酵して得られた発酵飲料とアルコールが添加された飲料が挙げられる。非麦飲料としては、また、発酵して得られた発酵飲料からアルコール、その他の低沸点成分や低分子成分を除去して得られた非アルコール発酵飲料が挙げられる。ビール系飲料の好ましい態様としては、ビール、発泡酒、完全無アルコール麦芽飲料、非麦飲料が挙げられ、中でもビールが特に好ましい。
【００３７】
微細泡含有層８５の厚さ及び持続時間の向上した微細泡含有層８５を提供するためには、以下の条件を満たすものが好ましい。本実施の形態の光源付きコースター１０と、このような条件を満たす穀類分解物含有発泡性飲料８０とを組み合わせることで、ライトアップされる微細泡含有層８５の厚さを十分なものとし、かつ、持続時間を長くすることができるので、非常に有益なものとなる。
【００３８】
本実施の形態で好ましく用いられる穀類分解物含有発泡性飲料８０は、微細泡含有層８５を発生させる有効範囲に泡の粒径を調整してなる穀類分解物含有発泡性飲料８０の発泡体を、予め透明容器７０に注出された穀類分解物含有発泡性飲料層８１上に添加して、発泡体層８２’と、穀類分解物含有発泡性飲料層８１との境界液面下に微細泡含有層８５を発生させることで提供される。なお、「発泡体」とは、穀類分解物含有発泡性飲料８０をその凍結温度よりも高い温度で外気ガス成分を用いて予め発泡させて得られるものである。
【００３９】
泡の粒径の有効範囲は、微細泡含有層８５の厚さ及び／又は持続時間の閾値を参照して予め設定されてもよく、発泡体における泡の平均粒径は４７μｍ以下となっていることが好ましく、４０μｍ以下となることがより好ましく、３５μｍ以下となっていることがさらに好ましい。また、泡の平均粒径の標準偏差も、所望の微細泡含有層８５の厚さ及び／又は持続時間を考慮して適宜決定することができるが、４０以下となっていることが好ましく、３５以下となることがより好ましく、２５以下となっていることがさらに好ましく、２０以下となっていることがさらにより好ましい。
【００４０】
上述した発泡体において、単位面積あたりの泡の数は、好ましくは６００個以上（個／３mm２）であり、より好ましくは１０００個以上（個／３mm２）であり、さらに好ましくは１３００個（個／３mm２）である。
【００４１】
泡の粒径の調整は、攪拌、振動、減圧及び気体注出からなる群から選択される方法によって行われることが好ましいが、とりわけ撹拌処理で行うことが好ましい。
【００４２】
穀類分解物含有発泡性飲料８０に対して攪拌、振動、減圧又は気体注出処理を行う場合、泡の粒径の調整工程は、攪拌速度、振動レベル、加圧レベル又は気体注出速度を調整し、発泡体における泡の粒径を、微細泡含有層８５を発生させる有効範囲としてもよい。また、泡の粒径の調整工程は、泡の粒径の調整中又は調整後に、泡の粒径及び／又は標準偏差を測定する工程を含んでもよい。かかる測定工程を実施する具体的手法は、特に限定されず、例えば、攪拌速度、振動レベル、加圧レベル又は気体注出速度の測定による間接的方法であってもよい。
【００４３】
泡の粒径の調整を撹拌により行う場合、撹拌速度は、泡の粒径が上記範囲となる限り特に限定されないが、例えば、７，０００〜１８，０００ｒｐｍであり、好ましくは８０００〜１８，０００ｒｐｍである。
【００４４】
穀類分解物含有発泡性飲料８０の撹拌時間は、特に限定されないが、好ましくは５秒以上であり、より好ましくは５〜３０秒である。
【００４５】
発泡体の泡の粒径の調整は、大気下又はそれに近い組成のガス雰囲気下で好適に行われる。より具体的には、発泡体の泡の粒径の調整は、例えば、大気と同一組成（窒素が約７８％、酸素が約２１％、その他アルゴン、二酸化炭素など）、又は、窒素含有割合が１〜１００％の気体、好ましくは７０〜１００％の気体中で行われることが好ましい。
【００４６】
また、発泡体を形成する穀類分解物含有発泡性飲料８０の温度は、特に限定されないが、好ましくは０〜２０℃であり、より好ましくは０〜１０℃である。
【００４７】
穀類分解物含有発泡性飲料８０を予め透明容器７０へ注出して穀類分解物含有発泡性飲料層８１を形成する手法は、微細泡含有層８５の発生が妨げられない限り特に限定されず、公知の手法により行うことができる。本実施の形態では、上述の発泡体を添加することから、穀類分解物含有発泡性飲料８０は泡立たないように予め透明容器７０中に注出することが好ましい。したがって、例えば、ビールサーバーにおいて行われるような、細かい泡を透明容器７０中のビールに後注ぎする工程は行わなくてもよい。
【００４８】
発泡体の添加は、微細泡含有層８５の発生を妨げない限り特に限定されないが、泡の平均粒径の保持を勘案すれば、好ましくは発泡体の製造後２０秒以内、より好ましくは１０秒以内、さらに好ましくは製造後直ちに行うことが好ましい。
【００４９】
また、発泡体の添加方法は、微細泡含有層８５の発生を妨げない限り特に限定されないが、好ましくは、透明容器７０中の穀類分解物含有発泡性飲料層８１の液面上方から、発泡体を透明容器７０中に注出することにより行われる。発泡体を添加する位置は、微細泡含有層８５の発生を妨げない限り特に限定されないが、好ましくは、穀類分解物含有発泡性飲料８０の液面から高さ５０mm以上、より好ましくは７０mm以上、さらに好ましくは１００mm以上の地点である。かかる高さは、穀類分解物含有発泡性飲料８０内に乱流を発生させ、微細泡含有層８５を濃厚にする上で好ましい。
【００５０】
予め透明容器７０に注出された穀物含有発泡性飲料の温度は、微細泡含有層８５の発生を妨げない限り特に限定されないが、好ましくは５〜２０℃であり、より好ましくは５〜１０℃である。
【００５１】
微細泡含有層８５における微細気泡のサイズは、上述の穀物含有発泡性飲料の発泡体の泡サイズ及び添加方法に応じて適宜調節することができるが、微細気泡の平均粒径は、穀物含有発泡性飲料により通常形成される泡又は本実施の形態の発泡体よりも小さくてもよい。したがって、微細気泡の平均粒径は、例えば６６μｍ以下とすることができる。また、微細泡含有層８５における微細気泡の密度は、例えば、穀類分解物含有発泡性飲料８０の液面から垂直下方向に向かってが徐々に小さくなるように変化させてもよい。
【００５２】
微細泡含有層８５の保持時間は、特に限定されないが、好ましくは１分間以上であり、より好ましくは２分間以上であり、より好ましくは３分間以上であり、さらに好ましくは３〜５分間以上である。
【００５３】
微細泡含有層８５の厚さは、特に限定されないが、穀物含有発泡性飲料層の液面を基準として、好ましくは１０ｍｍ以上であり、より好ましくは１０〜２０ｍｍである。
【００５４】
なお、上述した穀類分解物含有発泡性飲料８０の詳細については、特願２０１３−１２９９５４号を参照にされたい。
【００５５】
《作用・効果》
次に、上述した構成からなる本実施の形態による作用・効果について説明する。
【００５６】
本実施の形態によれば、土台２０に含まれる光源２１が、発泡体層８２’と穀類分解物含有発泡性飲料層８１との間の境界液面下に形成された霧状の肌理細かい微細泡含有層８５をライトアップするのに十分な強度を有している（図３参照）。また、土台２０の上方に設けられる中間部材３０が側面に表面処理が施された半透明部３６を有している。このため、ライトアップされた霧状の肌理細かい微細泡含有層８５と、半透明部３６から側方に放たれる散乱光の両方によって、高い視覚的効果を実現することができる（図３参照）。
【００５７】
なお、従来から知られているグラス等の透明容器に光を照射することで装飾的効果を高めるための装置やコースターは、いずれもグラス等の透明容器に注がれた液体に仄かに光を照射して装飾効果を得ることを主たる目的としており、仮に穀類分解物含有発泡性飲料８０を含んだ透明容器７０を載置したとしても、微細泡含有層８５をライトアップすることができない（後述する図１０（ｃ）（ｄ）参照）。また、従来から知られている装置やコースターでは、側方に散乱光をもたらすことで視覚的効果を高めることが行われていない。
【００５８】
この点、本実施の形態による光源付きコースター１０では、霧状の肌理細かい微細泡含有層８５をライトアップすることと、散乱光、しかも強度の強い散乱光を光源付きコースター１０の側方に放出させることの両方を同時に実現することができ、非常に有益なものとなっている。つまり、本実施の形態によれば、微細泡含有層８５の位置する相対的に上方位置におけるライトアップ効果と、コースターの中間部材３０が位置する相対的に下方位置における散乱光による効果の両方に関して同時に視覚的効果を発揮することができ、透明容器７０を含めて視認者が見た際に、上下方向の２箇所で高い視覚効果を実現することができる（図３参照）。このため、とりわけバー等の薄暗い飲食店において、非常に高い装飾効果を実現することができる。
【００５９】
また、本実施の形態のように霧状の肌理細かい微細泡含有層８５をライトアップすることには、上述した装飾効果に加えて、穀物含有発泡性飲料をおいしく見せる視覚的効果も発揮することができ、飲食店のイメージアップにも大きな貢献をもたらすことが期待できる。
【００６０】
また、本実施の形態では、中間部材３０が、連結部３１の上方であって半透明部３６の下方に設けられた透明部３５をさらに有している。このため、半透明部３６からもたらされる散乱光とは異なる種類の光も光源付きコースター１０の側方にもたらすことができ、ライトアップされた霧状の肌理細かい微細泡含有層８５、半透明部３６からの散乱光及び透明部３５からの直達光という３つの光を視認者は楽しむことができる（図３参照）。ちなみに、微細泡含有層８５による散乱光の強度は、発泡体層８２’による散乱光の強度よりも格段に強くなっている（図３参照）。
【００６１】
なお、本実施の形態のように半透明部３６の下方に透明部３５が設けられていることには重要な意義があるので留意が必要である。つまり、このように半透明部３６の下方に透明部３５を設けることで、光源２１からの光を半透明部３６で反射させて、透明部３５内に反射光をもたらし、透明部３５を介して多くの直達光を側部外方へと照射させることができるのである。仮に透明部３５が半透明部３６の上方に位置づけられた場合には、光源２１からの光が透明部３５をそのまま通過してしまうことから、透明部３５を通過した直達光が外部側方にもたらされないか、もたらされたとしても非常に弱い強度となってしまい、透明部３５からの直達光を視認者が十分に楽しむことができなくなってしまう。
【００６２】
また、本実施の形態では、突出部３６ｔの内周側に透明容器７０が載置可能となっている（図２（ａ）参照）。このため、透明容器７０を安定させて光源付きコースター１０上に載置することができる。また、本実施の形態では、半透明部３６の上面に表面処理が施されている。このため、光源２１から照射された光は、透明部３５を通過して半透明部３６に入り、表面処理が施された半透明部３６の上面に達することとなる。このように半透明部３６の上面には表面処理が施されていることから、当該上面で反射される光を多くすることができ、その結果、半透明部３６内に入り込む反射光の光を多くすることができる。このため、散乱光の強度を高くすることができ、散乱光による視覚的効果を高いものにすることができる。
【００６３】
また、本実施の形態では、光源２１が、赤色の光、緑色の光及び青色の光を発光する。このため、あらゆる色で微細泡含有層８５をライトアップするとともに、あらゆる色からなる散乱光及び直達光を側部外方にもたらすことができる。例えば、霧状の肌理細かい微細泡含有層８５を赤色でライトアップするとともに、赤色の散乱光を半透明部３６から側部外方にもたらし、かつ、赤色の直達光を透明部３５から側部外方にもたらすことができる。同様に、緑色、青色、黄色、紫色等の様々な色で霧状の肌理細かい微細泡含有層８５をライトアップするとともに、これらの色からなる散乱光と直達光を光源付きコースター１０の側部外方にもたらすことができる。
【００６４】
なお、本願の発明者らの実験によれば、少なくとも黄色及び紫色の光を光源２１から照射した際には、ライトアップされた微細泡含有層８５の色と、当該微細泡含有層８５よりも下方に位置する穀類分解物含有発泡性飲料層８１の色と、半透明部３６及び透明部３５から側部外方にもたらされる光の色とで異なることが分かった（図８（ａ）（ｂ）参照）。より具体的には、黄色及び紫色の光を光源２１から照射した際には、相対的に上方位置にある微細泡含有層８５（図８（ａ）（ｂ）のＡ１参照）、相対的に下方位置にある半透明部３６及び透明部３５、これら上方位置及び下方位置の間にある穀類分解物含有発泡性飲料層８１のうちの上方位置（図８（ａ）（ｂ）のＡ２参照）、並びに、穀類分解物含有発泡性飲料層８１のうちの下方位置（図８（ａ）（ｂ）のＡ３参照）の４箇所で、異なる色の視覚的効果を得ることができ、より高い装飾効果を得ることができる。なお、カラーで示されていないことから理解しにくいが、図８（ａ）は本実施の形態による光源付きコースター１０で黄色を照射した際の態様を示した図であり、図８（ｂ）は本実施の形態による光源付きコースター１０で紫色を照射した際の態様を示した図である。
【００６５】
ちなみに、高さ位置で色が異なる原因は定かではないが、黄色は光源２１が赤色と緑色を同時に照射することで作成し、紫色は光源２１が赤色と青色を同時に照射することで作成していることから、これらの波長の違いが何らしかの要因となっていると推測される。なお、本願の発明者らが追加的に実験したところによれば、透明容器７０の高さがある程度の高さにないと、上述したような、高さ位置に応じた異なる色の視覚的効果を得ることができなかった。より具体的には、本願発明者らが、高さが１９５ｍｍであり直径が６５．２ｍｍである寸胴形状部（円柱形状部）を有する容器を用いて実験を行ったところ、穀類分解物含有発泡性飲料層８１の高さが１００ｍｍ以上になる場合には、上述したような高さ位置に応じて異なる色となる視覚的効果をよりよく得ることができたが、穀類分解物含有発泡性飲料層８１の高さが１００ｍｍ未満となっている場合には、十分な視覚的効果を得ることができなかった。ちなみに、白熱球に黄色のフィルムを貼り付けた場合及び白熱球に紫色のフィルムを貼り付けたものを用いた場合、並びに、蛍光灯に黄色のフィルムを貼り付けた場合及び蛍光灯に紫色のフィルムを貼り付けたものを用いた場合の各々において、上述したような、高さ位置に応じた異なる色の視覚的効果を得ることができなかった。
【００６６】
微細泡含有層８５をライトアップする効果は、寸胴形状（円柱形状）の透明容器に注がれた穀類分解物含有発泡性飲料８０よりも、底部の直径が小さく、上方に向かって直径が大きくなる部分を有する透明容器に注がれた穀類分解物含有発泡性飲料８０において、より高いものとなった。なお、底部の直径が小さく、上方に向かって直径が大きくなる部分を有する透明容器とは、略円柱形状の下方部分と、当該下方部分から上方に向かって直径が大きくなる拡大部分と、を有しておればよく、例えば、当該透明容器は、当該拡大部分から上方に向かって直径が小さくなる縮小部分や、拡大部分から上方に向かって直径が変化しない寸胴部分をさらに有していてもよい。
【００６７】
また、本実施の形態では、図７に示すように、光源２１から発光される光を制御する制御部５０が設けられており、様々な色及び／又は様々なパターンで光源２１から光を発光させることができ、例えば所定時間毎に色を変えながら光源２１から光を照射することもできる。そして、本願の発明者らの実験によれば、所定時間毎（例えば数秒毎）に連続して色を変えながら光源２１から光を照射した場合には、ライトアップされた微細泡含有層８５の色と、半透明部３６及び透明部３５から側部外方にもたらされる光の色とで異なることが分かった（図９参照）。一例としては、紫色を照射した後で青色を照射した場合には、微細泡含有層８５は紫色でライトアップされているにも係わらず、半透明部３６及び透明部３５から側部外方にもたらされる光は青色となっていた。
【００６８】
このように、制御部５０が所定時間毎（例えば数秒毎）に連続して色を変えながら光を照射するよう光源２１を制御することで、相対的に上方位置にある微細泡含有層８５と、相対的に下方位置にある半透明部３６及び透明部３５の少なくとも２箇所で、異なる色の視覚的効果を得ることができ、より高い装飾効果を得ることができる。
【００６９】
また、本実施の形態では、制御部５０を遠隔操作するための遠隔操作部（リモートコントローラー）５５が設けられている。このため、遠方から様々な色及び／又は様々なパターンで光源２１から光を発光させることができる。また、一つの遠隔操作部５５で、複数の光源付きコースター１０の制御部５０を同時に制御することができるようになっていてもよい。この場合には、例えばバー等の飲食店において、店側の従業員が複数の客先に運ばれた光源付きコースター１０の光源２１を同じ態様（同じ色及び同じパターン）で制御することができ、店内の様々な場所に運ばれた光源付きコースター１０によって店内を彩ることができる。このため、例えば音楽に合わせて各光源付きコースター１０の発光色や発光パターンを変えることで、店全体を一体感をもって盛り上げることができる。
【００７０】
また、本実施の形態の光源２１は、可塑性を有するとともに細長いテープ形状となったチューブ２２と、当該チューブ２２に内方されたＬＥＤ２３とを有したチューブ型の光源２１となっている（図６参照）。このような態様の光源２１は光強度が強いうえに、その価格が比較的安価であることから好ましい。また、このようなチューブ型の光源２１が丸め込まれて載置部２５内に載置されることで、載置部２５の内壁で一定程度の光が遮られるものの上方だけでなくあらゆる方向に光を照射することができるので、半透明部３６及び透明部３５から側方外部にもたらされる光の強度を強くすることができる点でも好ましい。なお、図１４に示すように、光源２１は、細長いテープ形状であって直線形上となったチューブ２２と、当該チューブ２２内に内包されたＬＥＤ（光源部）２３と、を備えてもよい。この場合には、ＬＥＤ（光源部）２３からの光が上方に向けられるようにして、光源２１を載置部２５に載置すればよい。この態様でも、強い光強度を低価格で得ることができる点で好ましい。また、図１４に示す態様では、上方に光を発光するようにＬＥＤ２３が載置されるので、ＬＥＤ２３から上方へ光を効率よく放つことができ、その結果、より少ないＬＥＤ２３を用いるだけで足り、光源付きコースター１０の製造コストを低く抑えることができる。なお、図１４では、二本のチューブ２２の各々に３つのＬＥＤ（光源部）２３が設けられた態様となっている。これら３つのＬＥＤ２３の各々は、上述した態様と同様、赤色の光、緑色の光及び青色の光を放つことができる。
【００７１】  ところで、半透明部３６の側面、上端の縁（上端縁部）、上面部等の周縁部に文字、数字及び／又は模様を例えば彫る等して付したり、透明部３５の側面、上端縁部、上面部等の周縁部に文字、数字及び／又は模様を彫る等して付したりする態様を採用することもできる。このような態様によれば、光源２１からの光を利用して、半透明部３６や透明部３５において文字、数字及び／又は模様を浮かびあがらせることができ、例えば、装飾効果を高めたり、広告効果をもたらしたりすること等もできる。なお、図１１では、半透明部３６の側面に「（公序良俗違反につき、不掲載）」（符号３７参照）という文字を彫った態様を示している。また、図１３（ａ）（ｂ）では、略円柱形状となった半透明部３６の上端の縁（上端縁部）に形成された直線部３９に「（公序良俗違反につき、不掲載）」（符号３７’参照）という文字が彫られている。なお、図１３（ａ）（ｂ）に示したような形状を採用した場合には、円形状（半透明部３６及び透明部３５）と直線形状（直線部３９）とがバランスよく組み合わされたものとなっており、高い装飾性を実現することができる。
【００７２】
なお、微細泡含有層８５を発生させる有効範囲に泡の粒径を調整してなる穀類分解物含有発泡性飲料８０の発泡体を、予め透明容器７０に注出された穀類分解物含有発泡性飲料層８１上に添加して、発泡体層８２’と穀類分解物含有発泡性飲料層８１との境界液面下に微細泡含有層８５を発生させることで提供された穀類分解物含有発泡性飲料８０を用いた場合には（図３参照）、上述したように、ライトアップされる微細泡含有層８５の厚さを十分なものとし、かつ、持続時間を長くすることができるので、非常に有益なものとなる。
【００７３】
より具体的には、図１０（ａ）は、穀類分解物含有発泡性飲料８０の発泡体を、予め透明容器７０に注出された穀類分解物含有発泡性飲料層８１上に添加することで提供された穀類分解物含有発泡性飲料８０を、本実施の形態による光源付きコースター１０でライトアップした様子を示しているが、この図１０（ａ）からも理解されるように、このような態様によれば、ライトアップされる微細泡含有層８５の厚さを十分なものとすることができ、非常に高い装飾効果を実現することができる。
【００７４】
また、図１０（ｂ）は、透明容器７０に穀類分解物含有発泡性飲料８０をそのまま注いで泡層８２及び微細泡含有層８５を形成したものを本実施の形態による光源付きコースター１０でライトアップした様子を示しているが、図１０（ａ）に示した態様と比較すると十分とは言い難いが、依然として、ライトアップされた微細泡含有層８５によって比較的高い装飾効果を実現することができる。
【００７５】
なお、図１０（ｃ）は、穀類分解物含有発泡性飲料８０の発泡体を、予め透明容器７０に注出された穀類分解物含有発泡性飲料層８１上に添加することで提供された穀類分解物含有発泡性飲料８０を従来からある光源付きコースターで下から照射したものが、微細泡含有層８５が全くライトアップされていないことを理解することができる。また、図１０（ｄ）は、透明容器７０に穀類分解物含有発泡性飲料８０をそのまま注いで泡層８２及び微細泡含有層８５を形成したものを従来からある光源付きコースターで下から照射したものが、やはり、微細泡含有層８５が全くライトアップされていないことを理解することができる。
【００７６】
以上のように、穀類分解物含有発泡性飲料８０の発泡体を、予め透明容器７０に注出された穀類分解物含有発泡性飲料層８１上に添加することで提供された穀類分解物含有発泡性飲料８０を、本実施の形態による光源付きコースター１０でライトアップすることによって、非常に高い装飾効果を実現することができ（図１０（ａ）参照）、また、透明容器７０に穀類分解物含有発泡性飲料８０をそのまま注いで泡層８２及び微細泡含有層８５を形成したものであっても、本実施の形態による光源付きコースター１０でライトアップすることによって、比較的高い装飾効果を実現することができる（図１０（ｂ）参照）。
【００７７】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００７８】
１０        光源付きコースター
２０        土台
２１        光源
２３        ＬＥＤ（光源部）
３０        中間部材
３１        連結部
３５        透明部
３６        半透明部
３６ｔ      突出部
５０        制御部
５５        遠隔操作部
７０        透明容器
８０        穀類分解物含有発泡性飲料
８１        穀類分解物含有発泡性飲料層
８２        泡層
８２’      発泡体層
８５        微細泡含有層
【図２】
2015047186.tif 000003
【図６】
2015047186.tif 000004
【図７】
2015047186.tif 000005
【図１２】
2015047186.tif 000006
【図１】
2015047186.tif 000007
【図３】
2015047186.tif 000008
【図４】
2015047186.tif 000009
【図５】
2015047186.tif 000010
【図８】
2015047186.tif 000011
【図９】
2015047186.tif 000012
【図１０】
2015047186.tif 000013
【図１１】
2015047186.tif 000014
【図１３】
2015047186.tif 000015
【図１４】
2015047186.tif 000016